(57)【要約】【課題】発信者が発信する際、受信者に着信を知らせる動作を指定できる携帯電話機、携帯電話基地局及びＩＰ電話装置と電子メールシステムを提供する。【解決手段】電話送受信機能と、発呼するときに呼出相手の電話番号或いはＩＤ情報１１１１と付帯情報１１１２とを一緒に送信する機能と、着呼時に受信した付帯情報１４１２に合わせた処理を実行する機能とを有する携帯電話機１１００、１５００。付帯情報が画像情報であり、着呼時に受信した画像情報を再生して発信者側が指定した画像を表示する機能を有する。【選択図】        図１
2004363999.tif 000002
【特許請求の範囲】
【請求項１】
電話送受信手段と、発呼するときに呼出相手の電話番号或いはＩＤ情報と付帯情報とを一緒に送信する手段と、着呼時に受信した付帯情報に合わせた処理を実行する手段とを有することを特徴とする携帯電話機。
【請求項２】
請求項１記載の携帯電話機において、
上記付帯情報が画像情報であり、着呼時に受信した画像情報を再生して発信者側が指定した画像を表示する手段を有することを特徴とする携帯電話機。
【請求項３】
請求項１記載の携帯電話機において、
上記付帯情報が動画情報であり、着呼時に受信した動画情報を再生して発信者側が指定した動画を表示する手段を有することを特徴とする携帯電話機。
【請求項４】
請求項１記載の携帯電話機において、
上記付帯情報が振動パターン情報であり、着呼時に受信した振動パターン情報を再生する振動を発生して発信者側が指定した振動パターンを発生する手段を有することを特徴とする携帯電話機。
【請求項５】
請求項１記載の携帯電話機において、
自機の状態を示す発光装置を取付けており、上記付帯情報がこれらの発光パターンを示す情報であり、着呼時に受信した発光パターン情報を再生する発光をして発信者側が指定した発光パターンを発生する手段を有することを特徴とする携帯電話機。
【請求項６】
請求項１記載の携帯電話機において、
上記付帯情報がメロディ情報や画像情報、動画情報、振動パターン情報、発光パターン情報など各種の情報であり、付帯情報として付帯されているこれらの各種の情報を識別するための付帯情報コードを付帯情報に付加して送信する手段と、着呼時に付帯情報コードから付帯情報の種類を識別して、付帯情報の種類に合わせた再生処理を行う手段とを有することを特徴とする携帯電話機。
【請求項７】
携帯電話機に対向し、携帯電話網に接続される携帯電話基地局サーバにおいて、
前記携帯電話機から送信された付帯情報を一時保持し、代わりに、付帯情報有りを示すフラグを、呼出相手の電話番号或いはＩＤ情報に付加して着信側の携帯電話機に送信する手段を有することを特徴とする携帯電話基地局サーバ。
【請求項８】
請求項７記載の携帯電話基地局サーバにおいて、
上記付帯情報有りを示すフラグの問合せの携帯電話機に対し、保持した付帯情報を送信する手段を有することを特徴とする携帯電話基地局サーバ。
【請求項９】
発信時に、送信する呼出相手の電話番号或いはＩＤ情報に、付帯情報付きを示すフラグを付加する手段と、着信時に、付帯情報付きを示すフラグを受信すると、発信者側にその付帯情報を送信するよう要求し、受信して再生する手段を有することを特徴とする携帯電話機。
【請求項１０】
携帯電話機に対向し、携帯電話網に接続される携帯電話基地局サーバにおいて、
付帯情報指示データと該付帯情報指示データに対応する付帯情報を格納する手段と、携帯電話機から送信された、呼出相手の電話番号或いはＩＤ情報に付加した付帯情報指示データを受信すると、対応する付帯情報を呼出相手の電話番号或いはＩＤ情報に付加して送信する手段を有することを特徴とする携帯電話基地局サーバ。
【請求項１１】
請求項１０記載の携帯電話基地局サーバにおいて、
携帯電話機から送信された、付帯情報指示データと該付帯情報に対応する付帯情報を登録する手段を有することを特徴とする携帯電話基地局サーバ。
【請求項１２】
請求項１〜６のいずれか１項に記載の携帯電話機において、
付帯情報指示データと該付帯情報に対応する付帯情報を携帯電話基地局サーバに登録する手段を有することを特徴とする携帯電話機。
【請求項１３】
請求項１２記載の携帯電話機において、
呼出相手の電話番号或いはＩＤ情報に付加した付帯情報指示データを送信する手段を有することを特徴とする携帯電話機。
【請求項１４】
着信側で着呼時に、発信相手の電話番号に加え、付帯情報を一緒に受け取った場合に、その付帯情報に合わせた処理を実行するか否かを選択できるよう事前登録する手段を有することを特徴とする携帯電話機。
【請求項１５】
請求項１４記載の携帯電話機において、
事前登録がされていないと、付帯情報に合わせた処理を実行しないことを特徴とする携帯電話機。
【請求項１６】
請求項１４記載の携帯電話機において、
付帯情報に合わせた処理を実行するか否かの選択を、発信相手の電話番号に対応させて、ユーザが選択する手段を有することを特徴とする携帯電話機。
【請求項１７】
請求項１６記載の携帯電話機において、
特定の発信相手の電話番号については、設定を禁止する手段を有することを特徴とする携帯電話機。
【請求項１８】
発信者側が発呼するとき、呼出相手の電話番号に加え、着信報知時の音声や、映像や、振動パターンや、発光パターンなどを含む動作を指示する付帯情報を一緒に送ることにより、着信者側で着呼時に、その付帯情報に合わせた処理を実行することを特徴とするＩＰ電話装置。
【請求項１９】
送信するとき、アドレス情報と、着信報知時の音声や、映像や、振動パターンや、発光パターンなどを含む動作を指示する着信報知情報と、送信するメールの本文情報を含むデータを送信することを特徴とする電子メールシステム。
【発明の詳細な説明】
【０００１】
【発明の属する技術分野】
本発明は、携帯電話機、携帯電話基地局サーバ及びＩＰ電話装置と電子メールシステムであり、特定の相手に対して情報を送受信する通信機器に係り、特に、音声だけでなく、音源データや画像データなどのデジタルデータなどの再生機能を有するパーソナルコンピュータや携帯電話機において、着信があったことを知らせる技術に係わる。
【０００２】
【従来の技術】
従来、携帯電話機では、電話の着信時に着信音を鳴らして、着信があったことをユーザに知らせる。また、携帯電話機内にメロディデータや画像データを保持していて、着信があったとき、その呼出相手の電話番号にあわせて、メロディや画像データを選択・再生する機能を持っているものも見受けられる。
【０００３】
また、ネットワーク接続されているパーソナルコンピュータなどでは、電子メールの着信があったときに、電子メールの到着の旨を示す音声再生や表示、また、パーソナルコンピュータに接続できる周辺デバイスなどを動作させるなどによって着信を知らせる機能を持っているものが見られる。
【０００４】
また、発信者が自己固有の着信メロディを指定することを可能とする提案がある（特許文献１）が、メロディ以外については、考慮されていなかった。
【０００５】
【特許文献１】
特開２００１−７９０２号公報
【０００６】
【発明が解決しようとする課題】
しかし、これらの機器では、着信側の装置で予め、発信者を登録している場合に選択することが可能なものであるため、新たな発信者に対しては、選択的な動作をすることができなかった。
【０００７】
また、発信側にその動作制御権がなく、通信の発起者である発信者が受信者に対して、発信者をアピールする手段が存在しなかった。
【０００８】
本発明の目的は、上記従来技術の欠点を解決し、発信者が発信する際、受信者に着信を知らせる動作を指定できる携帯電話機、携帯電話基地局サーバ及びＩＰ電話装置と電子メールシステムを提供することである。
【０００９】
【課題を解決するための手段】
本発明は、電話送受信機能と、発呼するときに呼出相手の電話番号或いはＩＤ情報と付帯情報とを一緒に送信する機能と、着呼時に受信した付帯情報に合わせた処理を実行する機能とを有する携帯電話機である。
【００１０】
また、本発明は、上記付帯情報が画像情報であり、着呼時に受信した画像情報を再生して発信者側が指定した画像を表示する機能を有する携帯電話機である。
【００１１】
そして、本発明は、上記付帯情報が動画情報であり、着呼時に受信した動画情報を再生して発信者側が指定した動画を表示する機能を有する携帯電話機である。
【００１２】
更に、本発明は、上記付帯情報が振動パターン情報であり、着呼時に受信した振動パターン情報を再生する振動を発生して発信者側が指定した振動パターンを発生する機能を有する携帯電話機である。
【００１３】
また、本発明は、自機の状態を示す発光装置を取付けており、上記付帯情報がこれらの発光パターンを示す情報であり、着呼時に受信した発光パターン情報を再生する発光をして発信者側が指定した発光パターンを発生する機能を有する携帯電話機である。
【００１４】
そして、本発明は、上記付帯情報がメロディ情報や画像情報、動画情報、振動パターン情報、発光パターン情報など各種の情報であり、付帯情報として付帯されているこれらの各種の情報を識別するための付帯情報コードを付帯情報に付加して送信する機能と、着呼時に付帯情報コードから付帯情報の種類を識別して、付帯情報の種類に合わせた再生処理を行う機能とを有する携帯電話機である。
【００１５】
更に、本発明は、携帯電話機に対向し、携帯電話網に接続される携帯電話基地局サーバにおいて、前記携帯電話機から送信された付帯情報を一時保持し、代わりに、付帯情報有りを示すフラグを、呼出相手の電話番号或いはＩＤ情報に付加して着信側の携帯電話機に送信する機能を有する携帯電話基地局サーバである。
【００１６】
また、本発明は、上記付帯情報有りを示すフラグの問合せの携帯電話機に対し、保持した付帯情報を送信する機能を有する携帯電話基地局サーバである。
【００１７】
そして、本発明は、発信時に、送信する呼出相手の電話番号或いはＩＤ情報に、付帯情報付きを示すフラグを付加する機能と、着信時に、付帯情報付きを示すフラグを受信すると、発信者側にその付帯情報を送信するよう要求し、受信して再生する機能を有する携帯電話機である。
【００１８】
更に、本発明は、携帯電話機に対向し、携帯電話網に接続される携帯電話基地局サーバにおいて、付帯情報指示データと該付帯情報指示データに対応する付帯情報を格納する機能と、携帯電話機から送信された、呼出相手の電話番号或いはＩＤ情報に付加した付帯情報指示データを受信すると、対応する付帯情報を呼出相手の電話番号或いはＩＤ情報に付加して送信する機能を有する携帯電話基地局サーバである。
【００１９】
また、本発明は、携帯電話機から送信された、付帯情報指示データと該付帯情報に対応する付帯情報を登録する機能を有する携帯電話基地局サーバである。
【００２０】
そして、本発明は、付帯情報指示データと該付帯情報に対応する付帯情報を携帯電話基地局サーバに登録する機能を有する携帯電話機である。
【００２１】
更に、本発明は、呼出相手の電話番号或いはＩＤ情報に付加した付帯情報指示データを送信する機能を有する携帯電話機である。
【００２２】
また、本発明は、着信側で着呼時に、発信相手の電話番号に加え、付帯情報を一緒に受け取った場合に、その付帯情報に合わせた処理を実行するか否かを選択できるよう事前登録する機能を有する携帯電話機である。
【００２３】
そして、本発明は、事前登録がされていないと、付帯情報に合わせた処理を実行しない携帯電話機である。
【００２４】
更に、本発明は、付帯情報に合わせた処理を実行するか否かの選択を、発信相手の電話番号に対応させて、ユーザが選択する機能を有する携帯電話機である。
【００２５】
また、本発明は、特定の発信相手の電話番号については、設定を禁止する機能を有する携帯電話機である。
【００２６】
そして、本発明は、発信者側が発呼するとき、呼出相手の電話番号に加え、着信報知時の音声や、映像や、振動パターンや、発光パターンなどを含む動作を指示する付帯情報を一緒に送ることにより、着信者側で着呼時に、その付帯情報に合わせた処理を実行するＩＰ電話装置である。
【００２７】
更に、本発明は、送信するとき、アドレス情報と、着信報知時の音声や、映像や、振動パターンや、発光パターンなどを含む動作を指示する着信報知情報と、送信するメールの本文情報を含むデータを送信する電子メールシステムである。
【００２８】
【発明の実施の形態】
以下、本発明の実施の形態を説明する。
本発明の携帯電話機、携帯電話基地局サーバ及びＩＰ電話装置と電子メールシステムにおける着信報知方法の実施形態の具体例を図を用いて説明する。
【００２９】
図１は本発明が適用される携帯電話システムの第１の実施例を示す概略図である。図において携帯電話１１００から携帯電話１５００に対して電話をかける場合、発信側の携帯電話１１００は、呼出相手の電話番号などを示す発着信番号情報１１１１と呼出相手の電話に対して着信時に再生させる着信メロディ情報１１１２を含む呼出情報１１１０が、第１の基地局１２００に電波として送信される。第１の基地局１２００では、その呼出情報１１１０の電波を復調して携帯電話網１３００に発着信番号情報１１１１と着信メロディ情報１１１２を含む呼出情報１１１０を伝送する。伝送された発着信番号情報１１１１と着信メロディ情報１１１２を含む呼出情報１１１０は、第２の基地局１４００で変調され、発着信番号情報１４１１と着信メロディ情報１４１２を含む呼出情報１４１０を電波として携帯電話１５００に送信される。携帯電話１５００は呼出情報１４１０により着信があることを検出し、その呼出情報１４１０に含まれる着信メロディ情報１４１２に基づいてメロディを再生し、着信があったことを持ち主に知らせる。
【００３０】
図２は第１の実施例において、発信側が呼出を行うときに、着信メロディ情報を付帯する代わりに着信振動パターン情報２１１２を指定する場合の実施例を示す概略図である。携帯電話２１００から携帯電話２５００に対して電話をかける場合、発信側の携帯電話２１００は、呼出相手の電話番号などを示す発着信番号情報２１１１と呼出相手の電話に対して着信時に再生させる着信振動パターン情報２１１２、例えば、バイナリデータで値が１のときは振動を発生させ、値が０のときは振動を停止させるようにするように取決め、発生させたい振動パターン２１２１に合せて１，０を羅列したバイナリデータ２１２２を含む呼出情報２１１０が、第１の基地局２２００に電波として送信される。第１の基地局２２００では電波を復調して携帯電話網２３００に発着信番号情報２１１１と着信振動パターン情報２１１２を含む呼出情報２１１０を伝送する。伝送された発着信番号情報２１１１と着信振動パターン情報２１１２を含む呼出情報２１１０は、第２の基地局２４００で変調され、発着信番号情報２４１１と着信振動パターン情報２４１２を含む呼出情報２４１０を電波として携帯電話２５００に送信される。受信側の携帯電話２５００は呼出情報２４１０により着信があることを検出し、呼出情報２４１０に含まれる着信振動パターン情報２４１２を受信し、メモリに取込む。そして、その振動パターン情報のバイナリデータの羅列２１２２に合せて、振動器を制御することで、送信側が指定した振動パターン２１２１を再生、取込んだ振動パターンデータ２１２２を繰り返し再生することで、着信があったことを持ち主に知らせる。
【００３１】
このように、本実施例において、呼出情報に付帯させる着信報知情報は、着信メロディ情報に限らない。振動や発光によって着信を知らせることのできる携帯電話であれば、振動のパターン情報や発光パターン情報を送付してもよい。送信側でサンプリングした音声情報を送付してもよい。また、画像を取込む機能を有した携帯電話であれば、静止画や動画情報を送付してもよい。
【００３２】
図３は本発明による携帯電話の概略構成の一実施例を示すブロック図である。図において、アンテナ３０１０で受信したＣｄｍａ信号やＧＰＳ信号は、送受信切替スイッチ３０２０を介してＣｄｍａ増幅器３０４０又はＧＰＳ増幅器３０３０に入力され、増幅されて通信処理プロセッサ３０６０に入力される。通信処理プロセッサ３０６０では、入力された信号をデータ処理により復調し、音声ならばスピーカ３０９０に出力し、スピーカ３０９０から音声が出力される。メールなどのデータならばＬＣＤ３０７０に出力し、ＬＣＤ３０７０に表示される。マイク３１００からの音声入力は、通信処理プロセッサ３０６０で符号化され、送信用Ｃｄｍａ増幅器３０５０に出力され、送信用Ｃｄｍａ増幅器３０５０で増幅されて、送受信切替スイッチ３０２０を介して、アンテナ３０１０から送信される。
【００３３】
本実施例の携帯電話機では、電話番号の入力やメールの文字入力や各種設定操作などを行うためのキー３１１０が設けらている。更に、発信時や着信時の着信メロディデータを記録しておくためのメモリ３０８０が設けられている。また、着信を知らせる機能として音ではなく、振動や発光などで知らせるための振動器３１２０やＬＥＤ３１３０など設けられている場合もある。また、静止画や動画を取込むためのカメラ３１４０が設けられている場合もある。
【００３４】
電話をかけるとき、呼出相手に着信メロディや振動パターンを指定する場合、予めメロディデータや振動パターンデータをメモリに保存しておき、呼出す相手を選択するときに、それらのデータも選択して、送信を行う。あるいは、予め電話をかけるときにはそれらのデータを送信するように設定して、その設定をメモリに保存しておくことも考えられる。その設定は、携帯電話機に登録しておく電話番号（電話帳）ごとや、グループ分けした単位ですることも可能である。
【００３５】
電話を受けるときは、呼出信号を受信すると共にそれに付帯して送られてくる着信メロディ情報や振動パターン情報を受信し、それらの情報に基づいた再生処理を実施することにより、着信を知らせる。ここで、受信側は送信側が指定してきた着信メロディ情報を再生するか、あるいは無視するかなどを設定できる。その設定は、呼出側の電話番号などにより切替えられるようにすることも考えられる。
【００３６】
図４は本発明による携帯電話機の着信処理動作の一実施例を示すフローチャートである。図において、処理４０１０で基地局からの着信コマンド処理する。基地局から送られてきた着信コマンドを処理した結果、処理４０２０で、その着信コマンドに着信メロディデータが付帯されているかを判定する。着信メロディデータの付帯があった場合、処理４０３０で携帯電話機が、送信側が指定してきた着信メロディの再生に対応する設定になっているかを判断する。送信側が指定してきた着信メロディの再生に対応する設定になっている場合、処理４０４０でそのメロディデータを受信する。そして、処理４０６０で、そのメロディデータを再生して、着信があったこと報知する。その再生処理４０６０は、処理４０７０でオフフックが検出されるか、処理４０８０で着信呼出終了が検出されるまで、繰り返される。処理４０７０でオフフックが検出された場合や処理４０８０で着信呼出終了が検出された場合、着信メロディ再生処理４０６０は終了する。このようにして、発信側が指定した着信メロディデータを再生することによる着信報知が可能になる。
【００３７】
また、処理４０２０で着信コマンドに着信メロディデータが付帯されていない場合、又は、処理４０３０で送信側が指定してきた着信メロディの再生に対応する設定になっていない場合は、携帯電話機に設定されている内蔵着信メロディデータをメモリから読み出し、そのデータを着信メロディ再生処理４０６０で再生して、着信があったことを報知する。このようにして、発信側が着信メロディデータを付帯してきていない場合の着信報知や、発信側の制御要求を無効にすることも可能になる。
【００３８】
図１、図２、図４に示した第１の実施例では発信側が直接着信メロディデータを発着信番号情報に付帯させて送信する例をしてした。図５は携帯電話網上に着信メロディデータを保持管理するサーバを設けた場合の本発明による携帯電話システムの第２の実施例を示す概略図である。図において携帯電話機５１００は、電話をかける場合に呼出相手の電話に対して着信時に再生させる着信メロディデータ５１１１を、予め基地局５２００を介して、携帯電話網上の呼出メロディデータ保持管理サーバ５６００にアップロードする通信５１１０を行う。この通信５１１０でアップロードされたメロディデータ５１１１は、呼出メロディデータ保持管理サーバ５６００内に保持され、着信メロディ情報コード５１２２を割り付ける。
【００３９】
携帯電話機５１００から携帯電話機５５００に対して電話をかける場合、発信側の携帯電話機５１００は、呼出相手の電話番号などを示す発着信番号情報５１２１と、呼出相手の電話に対して着信時に再生させる着信メロディ情報５１２２を含む、呼出情報５１２０が電波として、第１の基地局５２００に送信され、第１の基地局５２００では電波を復調して、その発着信番号情報５１２１に着信メロディ情報５１２２が付帯されている場合、その発着信番号情報５１２１と着信メロディ情報５１２２を含む呼出情報５１２０を携帯電話網５３００を介して、呼出メロディデータ保持管理サーバ５６００に伝送する。呼出メロディデータ保持管理サーバ５６００は、その発着信番号情報５１２１と着信メロディ情報５１２２を含む呼出情報５１２０を受取ると、その着信メロディ情報５１２２のコードから保持している着信メロディデータ５６３２を読出し、着信メロディ情報５１２２に置換えて、発着信番号情報５１２１と着信メロディデータ５６３２を含む、呼出情報５６３０が携帯電話網５３００を介して、第２の基地局５４００へ送られる。第２の基地局５４００では、その発着信番号情報５１２１と着信メロディデータ５６３２を含む、呼出情報５６３０を電波として携帯電話機５５００に送信される。携帯電話機５５００は呼出情報５６３０により着信があることを検出し、その呼出情報５６３０に含まれる着信メロディ情報５６３２に基づいて、メロディを再生し、着信があったことを持ち主に知らせる。
【００４０】
このようにして、発信側が着信メロディデータを予め携帯電話網のサーバ上に保持させておくことで、アップロードデータ量を減らすことが可能であり、アップロードの帯域が狭いシステムでも対応できる。また、網上でやり取りされるデータ量を減らすことが可能になる。
【００４１】
一方、第１の基地局５２００が受取る呼出情報５１２０に着信メロディ情報５１２２が含まれていない場合、第１の基地局５２００は、その呼出情報５１２０の電波を復調して携帯電話網５３００に発着信番号情報５１２１のみで構成される呼出情報５１２０を伝送する。伝送された発着信番号情報５１２１のみの呼出情報５１２０は、第２の基地局５４００で変調され、発着信番号情報５１２１のみの呼出情報５１２０を電波として携帯電話機５５００に発信される。携帯電話機５５００は呼出情報５１２０により着信があることを検出し、その呼出情報５１２０に着信メロディ情報の付帯がないことを検出して、携帯電話機５５００に設定されている着信メロディを再生し、着信があったことを持ち主に知らせる。
【００４２】
図６は図５に示した携帯電話網上に着信メロディデータを保持管理するサーバを設けた場合の本発明による携帯電話システムの別な一実施例を示す概略図である。図において携帯電話機６１００は、電話をかける場合に呼出相手の電話に対して着信時に再生させる着信メロディデータ６１１１を、予め基地局６２００を介して、携帯電話網上の呼出メロディデータ保持管理サーバ６６００にアップロードする通信６１１０を行う。この通信６１１０でアップロードされたメロディデータ６１１１は、呼出メロディデータ保持管理サーバ６６００内に保持され、着信メロディ情報コード６１２２を割り付ける。
【００４３】
携帯電話機６１００から携帯電話機６５００に対して電話をかける場合、発信側の携帯電話機６１００は、呼出相手の電話番号などを示す発着信番号情報６１２１と、呼出相手の電話に対して着信時に再生させる着信メロディ情報６１２２を含む、呼出情報６１２０が電波として、第１の基地局６２００に送信される。第１の基地局６２００では、その呼出情報６１２０の電波を復調して携帯電話網６３００に発着信番号情報６１２１と着信メロディ情報６１２２を含む呼出情報６１２０を伝送する。伝送された発着信番号情報６１２１と着信メロディ情報６１２２を含む呼出情報６１２０は、第２の基地局６４００で変調され、発着信番号情報６１２１と着信メロディ情報６１２２を含む呼出情報６１２０を電波として携帯電話機６５００に送信される。携帯電話機６５００は呼出情報６１２０により着信があることを検出し、呼出情報６１２０に含まれる着信メロディ情報６１２２から着信メロディの指定があることを検出する。呼出を受信した携帯電話機６５００は発着信番号情報６１２１から呼出し元５１００を特定して、その相手に対する着信メロディ指定に対する対応の可否を判断し、許可されている場合、その着信メロディ情報６１２２のコードから、そのデータを携帯電話機６５００の内蔵メモリに保持しているかを判別する。判別結果、指定された着信メロディ情報６１２２に対応するデータを保持していれば、そのデータに従いメロディを再生する。
【００４４】
保持していなければ、第２の基地局６４００及び携帯電話網６３００を介して、呼出メロディデータ保持・管理サーバ６６００に対し、着信メロディ情報６１２２のデータダウンロード要求６５１０を送信する。呼出メロディデータ保持・管理サーバ６５００は、着信メロディ情報６１２２のデータダウンロード要求６５１０に対して、着信メロディ情報６１２２に対応するメロディデータを読み出す処理６６２０を行い、着信メロディ情報６１２２に対応するメロディデータ６６３０を携帯電話網６３００及び第２の基地局６４００を介して、携帯電話機６５００に送信する。携帯電話機６５００はこの着信メロディ情報６１２２に対応するメロディデータ６６３０を受信し、そのメロディデータ６６３０に従いメロディを再生する。
【００４５】
携帯電話機６５００は内蔵するメモリにこのメロディデータ６６３０と着信メロディ情報６１２２を保持できるようにしてあり、任意又は自動的に保持するようにする。これにより、次回以降、同じ相手からの同じ着信メロディ情報６１２２に対しては、メロディデータのダウンロードの処理を行わずに、指定された着信メロディを再生することが可能である。
【００４６】
本実施例において、携帯電話機６１００から携帯電話機６５００に対して電話をかける場合に、発信側の携帯電話機６１００で、呼出相手の電話に対して着信時に再生させる着信メロディを指定しない場合、発信側の携帯電話機６１００は、呼出相手の電話番号などを示す発着信番号情報６１２１のみの呼出情報６１２０が電波として、第１の基地局６２００に送信される。第１の基地局６２００では、その呼出情報６１２０の電波を復調して携帯電話網６３００に発着信番号情報６１２１のみの呼出情報６１２０を伝送する。伝送された発着信番号情報６１２１のみの呼出情報６１２０は、第２の基地局６４００で変調され、発着信番号情報６１２１のみの呼出情報６１２０を電波として携帯電話機６５００に送信される。携帯電話機６５００は呼出情報６１２０に着信メロディ情報６１２２が含まれていないことを検出し、携帯電話機５５００に設定されている着信メロディを再生し、着信があったことを持ち主に知らせる。
【００４７】
このように、本実施例によれば、呼出情報に着信メロディ情報の付帯の有無に関わらず、呼出の手順が同じシステムを構成できる。また、メロディ情報のダウンロードは、受信側の携帯電話機に指定されたメロディデータが保持されていない場合のみに行われるため、網上でやり取りされるデータ量を減らすことが可能になる。
【００４８】
図７は図６で示した本発明による携帯電話機の着信処理動作の一実施例を示すフローチャートである。図において、処理７０１０で基地局からの着信コマンド処理する。基地局から送られてきた着信コマンドを処理した結果を基に、処理７０２０で、その着信コマンドに着信メロディ情報が付帯されているかを判定する。着信コマンドに着信メロディ情報が付帯されていない場合、処理７０７０で携帯電話機に設定されている内蔵着信メロディデータをメモリから読み出し、そのデータを着信メロディ再生処理７０８０で再生して、着信があったことを報知する。
【００４９】
処理７０２０の判定結果、着信メロディ情報の付帯があった場合、処理７０３０で携帯電話機の内蔵メモリにその着信メロディ情報に対応するメロディデータが存在するか判断する。対応するメロディデータを内蔵していれば、処理７０６０で、その着信メロディ情報に対応するメロディデータをメモリから読み出し、そのデータを着信メロディ再生処理７０８０で再生して、着信があったことを報知する。
【００５０】
処理７０３０の判定結果、携帯電話機の内蔵メモリにその着信メロディ情報に対応するメロディデータが存在しない場合、処理７０４０で、携帯電話網上の着信メロディデータ保持管理サーバにその着信メロディ情報に対応するメロディデータのダウンロードを要求する。処理７０４０の結果、着信メロディデータ保持管理サーバから送信されてくる着信メロディ情報に対応するメロディデータを処理７０５０で受信し、そのデータをメモリに格納する。そして、そのデータを着信メロディ再生処理７０８０で再生して、着信があったことを報知する。
【００５１】
着信メロディ再生処理７０８０は、処理７０９０でオフフックが検出されるか、処理７１００で着信呼出終了が検出されるまで、繰り返される。処理７０９０でオフフックが検出された場合や処理７１００で着信呼出終了が検出された場合、着信メロディ再生処理７０８０は終了する。
【００５２】
図４、図５、図６、図７で示した実施例では呼出を行う場合に発着信番号情報に付帯させる情報を、着信メロディ情報としているが、着信メロディ情報の代わりに、送信側でサンプリングした音声情報や、振動のパターン情報や、発光パターン情報や、静止画や動画情報としてもよい。また、これらを併せて付帯させてもよい。
【００５３】
図８の（ａ）は、本発明による携帯電話システムの電話をかける場合の呼出情報のデータフォーマットの一実施例を示している。そのデータには、呼出相手を示す着信者番号情報８１００や、呼出相手に発信者を示すための発信者番号情報８２００と共に、付帯データの有無及びその種別を示すための付帯情報コード８３００が存在する。また、付帯情報が存在する場合、付帯情報コード８３００に続いて、その付帯情報データ８４００が存在する。図５で示した実施例では、付帯情報８４００は、発信側から出力されるときは存在せず、着信メロディデータ保持管理サーバで置き換えられる。また、図６、図７の実施例では、付帯情報データ８４００は、存在せず、着信側が、付帯情報コード８３００から判断して、必要に応じて着信メロディデータ保管管理サーバに要求して、別パケットとして送られることになる。
【００５４】
図８の（ｂ）は、付帯情報コード８３００のコード値の定義例を示したものである。表中、左側のコード欄８３１０には、割り付けられているコード値が、右側の付帯情報の種別欄８３２０には、そのコード値に対応するデータ種別を示している。コード値が１の場合、着信メロディ情報が付帯していることを、コード値が２の場合、着信振動パターン情報が付帯していることを、コード値が３の場合、静止画像情報が付帯していることを、また、コード値が０の場合、付帯情報がないことを示すというように、各コード値毎に、一義的に付帯データの種別が判断でき、適切な再生処理ができるように、同一網上に接続される端末で、共通のコードを定義する。また、このコード値の定義では、コード値が９の場合、特殊な定義として、一般的でない機能を有した機器への対応も可能としている。コード値が９の場合、更に補助コードを設けることで、そこに機器の種類を定義するようにする。
【００５５】
図９は図８で示した付帯情報コードに対して、携帯電話機が対応している機能を示すために保持している対応機能テーブルを示している。表中、左側のコード欄９０１０には、コード値が、右側の対応欄９０２０には、そのコード値の示す付帯情報種別の再生への携帯電話機の対応の有無が示されている。対応している情報種別に対しては○、対応していない情報種別に対しては×が格納されている。携帯電話機は、着信があったとき、付帯情報コードに対して、この対応機能テーブルを参照して、その情報種別に対して対応することができるか判断する。対応機能テーブルは、ここに示したように付帯情報コードに対して○×を保持する代わりに、対応している情報種別コードのみを保持するテーブルでもよい。図９において（ｂ）に示しているのは、一般的でない機能に対応している場合で、対応している機能の補助コードを格納する対応特殊機能補助テーブル９１００を表している。着信があったとき、付帯情報コードが、特殊機能を示していた場合、補助コードを読み込んで、その値が、この対応特殊機能補助テーブル９１００を参照して、送られてきた補助コードと一致するコードがあるかを調べることで、その対応可否を判断する。
【００５６】
図１０は付帯情報再生許可設定テーブルの例を示したものである。図１０において、登録番号欄１０１００は、携帯電話機に登録されている電話帳の登録番号が示され、電話番号欄１０２００は、その登録されている電話番号が格納され、付帯情報対応欄１０３００は、その携帯電話機が対応する付帯情報コード番号のデータに対して、発信者の電話番号毎に対応の許可、禁止の設定値が格納されている。図９で示される対応付帯情報コードで対応するデータのコード番号順に、左から、その可否を○又は×で現している。例えば、携帯電話機のコード対応が、図９のようになっているならば１番目の○又は×は付帯情報コード１に対する対応の可否を表し、２番目は付帯情報コード２、３のデータには対応していないので、付帯情報コード４に対する対応の可否を表し、以下、同じように対応している付帯情報コード番号の数だけ○又は×が繰り返す。図１０に示すテーブルでは、当該携帯電話機は６種類の付帯情報コードに対応しており、例えば、図中の登録番号３のデータ１０００４の電話番号０３−３４５６−７８９０のからの着信であった場合には、当該携帯電話機は、そのデータが１番目、５番目、６番目の対応付帯情報コード値が示すデータ種別が指定された場合のみ、それを再生し、着信を知らせることになる。それ以外のデータ種別のものが付帯されてきた場合、そのデータを無視して、携帯電話機内部に設定、用意されているデータにより着信を知らせる。図１０に示すテーブルは、携帯電話機の設定や電話番号登録によって、自由に変更が可能であり、呼出相手によって、着信報知の制御権を設定することが可能となる。また、図１０に示すテーブルに自由に変更が可能な領域と変更禁止の領域を設けて、緊急通報など公共性の高い通報など、例えば、図１０において、登録番号０のデータ１０００１や登録番号１のデータ１０００２に対しては、着信報知の制御を禁止できないようにすることも可能である。また、未設定であるときは、着信報知を実行しないようにすることもできる。
【００５７】
図１１は、本発明による携帯電話システムの電話をかける場合の呼出情報のデータフォーマットの別の一例を示している。そのデータは、図１１の（ａ）に示すように、呼出相手を示す着信者番号情報１１１１０と、呼出相手に発信者を示すための発信者番号情報１１１２０で構成され、発信者番号情報１１１２０には、付帯情報が存在するかを示す付帯情報フラグ１１１２１が割当てられている。この付帯情報フラグ１１１２１によって、付帯情報の存在の有無を受信側に知らせることが可能である。本発明に対応する携帯電話機から付帯情報付加した呼出しを行う場合、着信者番号情報１１１１０と、この付帯情報フラグ１１１２１をセットした発信者番号情報１１１２０で構成される呼出情報を送信する。それを受信する本発明に対応する携帯電話機は、この付帯情報フラグ１１１２１を検出することによって、送信側に付帯情報の送信を要求する。送信側の携帯電話機はその要求に応じて、図１１の（ｂ）に示すように、その付帯情報コード１１２１０とその付帯情報データ１１２２０を送信する。
【００５８】
図１２は、図１１で示したデータフォーマットを利用した携帯電話機の着信処理動作の一実施例を示すフローチャートである。図１２（ａ）は本発明による付帯情報の再生に対応しない携帯電話機での着信動作を示している。処理１２０１０で基地局からの着信コマンド処理する。その着信コマンドを処理した結果、着信があったことを知らせるために、処理１２０２０で携帯電話機に設定されている内蔵の着信メロディデータをメモリから読み出し、そのデータを着信メロディ再生処理１２０３０で再生して、着信があったことを報知する。着信メロディ再生処理１２０３０は、処理１２０４０でオフフックが検出されるか、処理１２０５０で着信呼出終了が検出されるまで、繰り返される。処理１２０４０でオフフックが検出された場合や処理１２０５０で着信呼出終了が検出された場合、着信メロディ再生処理１２０３０は終了する。
【００５９】
図１２の（ｂ）は本発明による付帯情報の再生に対応する携帯電話機での着信動作を示している。処理１２１１０で基地局からの着信コマンド処理する。そして、基地局から送られてきた着信コマンドを処理した結果、発信者番号情報に付加されている付帯情報フラグがセットされているか、否かを処理１２１２０で判定する。処理１２１２０の判定結果、付帯情報フラグがセットされていない場合、（ａ）の付帯情報の再生に対応しない携帯電話機での着信動作フローチャートと同様に、処理１２１６０で携帯電話機に設定されている内蔵着信メロディデータをメモリから読み出し、そのデータを着信メロディ再生処理１２１７０で再生して、着信があったことを報知する。
【００６０】
処理１２１２０の判定の結果、付帯情報フラグがセットされている場合は、更に処理１２１３０で当該携帯電話機の付帯情報に対する応答許可設定をチェックする。その処理１２１３０の判定結果、応答が禁止されている場合、（ａ）の付帯情報の再生に対応しない携帯電話機での着信動作フローチャートと同様に、処理１２１６０で携帯電話機に設定されている内蔵着信メロディデータをメモリから読み出し、そのデータを着信メロディ再生処理１２１７０で再生して、着信があったことを報知する。一方、処理１２１３０での判定結果、応答を許可されている場合は、処理１２１４０で、発信側の携帯電話機に対し、当該携帯電話機が付帯情報応答対応機種であることを示すコマンドを送信する。その結果、発信側の携帯電話機から送られくる付帯情報を処理１２１５０で受信し、処理１２１７０で、その付帯情報に基づく再生を実施して、着信があったことを報知する。ここで、例えば通信路のデータ転送レートが６００ｋｂｐｓで、付帯情報が１５ｋバイトのデータであった場合、そのデータのダウンロードは、約０．２秒の時間で行える。
【００６１】
このように着信コマンドとして与えられる発信者番号情報に付帯情報フラグを付加することで、本発明に対応する携帯電話機と、従来の携帯電話機が混在する環境での適応が可能になる。
【００６２】
また、この実施例においては、発信側の携帯電話機から送信するときに、図１１の（ａ）に示す、呼出相手を示す着信者番号情報１１１１０と、付帯情報が存在するかを示す付帯情報フラグ１１１２１が割当てられている発信者番号情報１１１２０で構成されるデータと、図１１の（ｂ）に示す、付帯情報コード１１２１０と付帯情報１１２２０で構成されるデータに分割して送信するフォーマットとなっているが、送信側の携帯電話機から送信するときは、図１１の（ｃ）に示すように、これらのデータをまとめたフォーマットで送信し、送信側の携帯電話機と受信側の携帯電話機の間に介在する基地局で、図１１の（ａ）と（ｂ）のデータフォーマットに分割することも考えられる。このようにすれば、図１２の（ｂ）に示すフローチャートの処理１２１４０で、当該携帯電話機が付帯情報応答対応機種であることを示すコマンドを送信したとき、そのコマンドは発信側の携帯電話機まで返送されずに、基地局で処理することができる。
【００６３】
これまで述べた実施例では、携帯電話システムにおいての実施例について述べたが、本発明は、パケットを用いて着信を通知するシステムで有効である。図１３は、本発明によるＩＰ電話システムの一実施例を示す概略図である。図においてＩＰ電話装置１３１００からＩＰ電話装置１３４００に対して電話をかける場合、発信側のＩＰ電話装置１３１００は、呼出相手の電話番号などを示す発着信番号情報１３１１１と呼出相手の電話に対して着信時に再生させる着信メロディ情報１３１１２を含む呼出情報１３１１０が、パケットデータとしてＩＰ電話網１３２００に送出される。ＩＰ電話サーバ１３３００では、その呼出情報パケット１３１１０を受け取り、呼出に対する中継処理を行って、ＩＰ電話網１３２００を介してＩＰ電話装置１３４００に発着信番号情報１３３１１と着信メロディ情報１３３１２を含む呼出情報１３３１０を送出する。ＩＰ電話サーバ１３３００から送出された発着信番号情報１３３１１と着信メロディ情報１３３１２を含む呼出情報１３３１０は、ＩＰ電話装置１３４００に発信される。ＩＰ電話装置１３４００は呼出情報１３３１０により着信があることを検出し、呼出情報１３３１０に含まれる着信メロディ情報１３３１２に基づいて、メロディを再生し、着信があったことを持ち主に知らせる。本実施例において、着信メロディ情報を送付する代わりに、送信側でサンプリングした音声情報や、振動のパターン情報や、発光パターン情報や、静止画や動画情報を送付してもよい。
【００６４】
図１４は、本発明による電子メールシステムの実施例を示す概略図である。図においてインターネット１４０００にはゲートウェア１４３００を介して第１のローカルエリアネットワーク１４５００と、ゲートウェイ１４６００を介して第２のローカルエリアネットワーク１４７００が接続されている。また、第１のローカルエリアネットワーク１４５００には、ゲートウェイ１４３００以外に、メール端末Ａ１４１００、メール端末Ｂ１４４００、第１のローカルエリアネットワーク１４５００上のメールを管理するメールサーバ１４２００が接続されている。また、第２のローカルエリアネットワーク１４６００には、ゲートウェイ１４６００以外に、メール端末Ｃ１４９００、第２のローカルエリアネットワーク１４７００上のメールを管理するメールサーバ１４８００が接続されている。
【００６５】
メール端末Ａ１４１００からメール端末Ｂ１４４００にメールを送信する場合、メールの送り先であるメール端末Ｂ１４４００のアドレス及び、送り元であるメール端末Ａ１４１００のアドレスが示されているアドレス情報１４１１１と、メール送信先であるメール端末Ｂ１４４００に対し、メールの着信と検出した際の着信報知時の動作を指示する着信報知情報１４１１２と、送信するメールの本文情報１４１１３を含むメールパケット１４１１０を第１のローカルエリアネットワーク１４５００に送出する。そのメールパケット１４１１０は、第１のローカルエリアネットワーク１４５００とインターネット１４０００間のゲートウェイ１４３００で、アドレス情報１４１１１がチェックされ、その送信先がローカルエリア内メール端末に対するものでない場合に、そのメールパケット１４１１０をインターネット１４０００に転送する。メール端末Ｂ１４４００に対するメールパケット１４１１０は、第１のローカルエリア内にあるメール端末に対するメールパケットであるため、そのパケットはインターネット１４０００には送出されない。
【００６６】
また、そのメール端末Ａ１４１００から送出されたメール端末Ｂ１４４００へのメールパケット１４１１０は、第１のローカルエリアネットワーク１４５００用のメールサーバ１４２００でアドレス情報１４１１１がチェックされ、第１のローカルエリアネットワーク内のメール端末へのメールであれば、そのメールパケット１４１１０に含まれるアドレス情報１４１１１と着信報知情報１４１１２とメールの本文情報１４１１３がメールサーバ１４２００に保持される。
【００６７】
メール端末Ｂ１４４００は、定期的又は不定期にローカルエリアネットワーク１４５００で接続されている第１のローカルエリアネットワーク１４５００用のメールサーバ１４２００に対して、メール端末Ｂ宛てのメールが届いていないかをチェックするためのコマンドパケット１４４１０を送信する。第１のローカルエリアネットワーク１４５００用のメールサーバ１４２００は、そのメール端末Ｂ１４４００からのメールチックコマンドパケット１４４１０を受信すると、メールサーバ内に保持しているメール情報に、メール端末Ｂ宛てに送られてきたメールがないかチェックして、保持している場合はその情報をメール端末Ｂ１４４００に送信する。
【００６８】
メール端末Ａ１４１００からのメール端末Ｂ１４４００に対するメールパケット１４１１０が、第１のローカルエリアネットワーク１４５００用のメールサーバ１４２００に入力され、そのメールパケット１４１１０に含まれるアドレス情報１４１１１と着信報知情報１４１１２とメールの本文情報１４１１３がメールサーバ１４２００に保持された後に、メール端末Ｂ１４４００からのメールチックコマンドパケット１４４１０を入力した場合、第１のローカルエリアネットワーク１４５００用のメールサーバ１４２００は、保持しているアドレス情報１４１１１と着信報知情報１４１１２とメールの本文情報１４１１３をメールチェックコマンドパケット１４４１０の応答パケット１４２１０として送信する。メール端末Ｂ１４４００は、その応答パケット１４２１０を受け取り、応答パケット１４２１０に含まれている着信報知情報１４１１２からその情報に合わせた再生を行って、メールの着信があったことを報知する。これにより、電子メールシステムのようなプル型のシステムにおいても、送信側から着信報知の方法を指定することできる。
【００６９】
ここで、着信報知情報１４１１２は、先に述べた携帯電話システムにおける実施例同様、データそのもので構成さても良いが、特定するためのコードだけで構成し、必要に応じて転送する方式でもよい。
【００７０】
また、メール端末Ａ１４１００からインターネット１４０００を介して接続されている別なローカルエリアネットワーク１４７００上に接続されているメール端末Ｃ１４９００にメールを送信する場合、メールの送り先であるメール端末Ｃ１４９００のアドレス及び、送り元であるメール端末Ａ１４１００のアドレスが示されているアドレス情報１４１２１と、メール送信先であるメール端末Ｃ１４９００に対し、メールの着信と検出した際の着信報知時の動作を指示する着信報知情報１４１２２と、送信するメールの本文情報１４１２３を含むメールパケット１４１２０を、第１のローカルエリアネットワーク１４５００に送出する。そのメールパケット１４１２０は、第１のローカルエリアネットワーク１４５００とインターネット１４０００間のゲートウェイ１４３００で、アドレス情報１４１２１がチェックされ、その送信先がローカルエリア内メール端末に対するものでない場合に、そのメールパケット１４１２０をインターネット１４０００に送信する。メール端末Ｃ１４９００に対するメールパケット１４１２０は、第１のローカルエリア内にあるメール端末に対するメールパケットでないため、そのパケットはインターネット１４０００に送出される。
【００７１】
インターネット１４０００に送出されたそのメールパケット１４１２０は、インターネット１４０００と第２のローカルエリアネットワーク１４７００間のゲートウェイ１４６００に入力され、そのアドレス情報１４１２１がチェックされ、その送信先が第２のローカルエリア１４７００内メール端末に対するものである場合に、そのメールパケット１４１２０を第２のローカルエリア１４７００に送信する。メール端末Ｃに対するメールパケット１４１２０は、第２のローカルエリア内にあるメール端末に対するメールパケットであるため、そのパケットは第２のローカルエリア１４７００に送信される。
【００７２】
そして、このメール端末Ａ１４１００から送出されたメール端末Ｃ１４９００へのメールパケット１４１２０は、第２のローカルエリアネットワーク１４７００用のメールサーバ１４８００でアドレス情報１４１２１がチェックされ、第２のローカルエリアネットワーク内のメール端末へのメールであれば、そのメールパケット１４１２０に含まれるアドレス情報１４１２１と着信報知情報１４１２２とメールの本文情報１４１２３がメールサーバ１４８００に保持される。
【００７３】
メール端末Ｃ１４９００は、定期的又は不定期にローカルエリアネットワーク１４７００で接続されている第２のローカルエリアネットワーク１４７００用のメールサーバ１４８００に対して、メール端末Ｃ宛てのメールが届いていないかをチェックするためのコマンドパケット１４９１０を送信する。第２のローカルエリアネットワーク１４７００用のメールサーバ１４８００は、そのメール端末Ｃ１４９００からのメールチックコマンドパケット１４９１０を受信すると、メールサーバ内に保持しているメール情報に、メール端末Ｃ宛てに送られてきたメールがないかチェックして、保持している場合はその情報をメール端末Ｃ１４９００に送信する。
【００７４】
メール端末Ａ１４１００からのメール端末Ｃ１４９００に対するメールパケット１４１２０が、第２のローカルエリアネットワーク１４７００用のメールサーバ１４８００に入力され、そのメールパケット１４１２０に含まれるアドレス情報１４１２１と着信報知情報１４１２２とメールの本文情報１４１２３がメールサーバ１４８００に保持された後に、メール端末Ｃ１４９００からのメールチックコマンドパケット１４９１０を入力した場合、第２のローカルエリアネットワーク１４７００用のメールサーバ１４８００は、保持しているアドレス情報１４１２１と着信報知情報１４１２２とメールの本文情報１４１２３をメールチェックコマンドパケット１４９１０の応答パケット１４８１０として送信する。
【００７５】
図１５は、付帯情報再生許可設定テーブルにおいて、緊急通報などユーザが自由に変更できないエリアを明確に分離したテーブルの例である。本例では、テーブルは携帯電話機のシステムデフォルト設定領域１５１００とユーザ設定領域１５２００の２つの領域で構成されている。ユーザ設定領域１５２００は、先に述べた図１０と同じく、ユーザが自由に参照し、新規登録、変更、削除などが自由に行える領域である。一方、システムデフォルト設定領域１５１００は、通常、ユーザが参照することや、設定の変更、削除などが行えない特殊な領域である。ユーザ設定領域１５２００は、図１５（ｃ）に示すように、図１０と同じ構成で、登録番号欄１５２０１、電話番号欄１５２０２、付帯情報対応欄１５２０３から構成されており、ユーザが、このテーブルに新規登録、変更、削除を行うことで、呼出相手ごとに発信側より送付される付帯情報に対する制御の可否を選択可能となる。システムデフォルト設定領域１５１００は、図１５（ｂ）に示すように、その構成はユーザ設定領域１５２００と全く同じで、登録番号欄１５１０１、電話番号欄１５１０２、付帯情報対応欄１５１０３から構成されている。ユーザ設定領域１５２００との違いは、ユーザ側からアクセスが可能になっているか否かで、システムデフォルト設定領域１５１００は、通常、ユーザからの直接のアクセスは禁止される。
【００７６】
システムデフォルト設定領域１５１００には、図１５（ｂ）の例に示すように、登録番号１のデータ１５１１０の電話番号１１０の警察や、登録番号２のデータの電話番号１１９の消防などのように、緊急性の高い通報などを発信する番号が、出荷時または販売時に予め設定されるようになっており、その発信に対しては、付帯情報に対する応答をユーザが禁止できないようになっている。
【００７７】
図１５（ｂ）に示したシステムデフォルト設定領域１５１００は、また、携帯電話システムのサービスを提供する側より書き換えられるようにして、緊急通報側の電話番号の変更などに対応できるようにすることも考えられる。図１７は、システムデフォルト設定領域を書き換えるための携帯電話システムを示す概略図である。図において、発着信が可能な携帯電話機１７１００、１７５００は、それに対向する基地局１７２００、１７４００と電波によって通信し情報の交換を行う。基地局１７２００、１７４００は、携帯電話網１７３００を介して接続されている。また、携帯電話網１７３００には、緊急通信アドレス情報を管理する緊急通信アドレス管理サーバ１７６００が接続されている。緊急通信アドレス管理サーバ１７６００は、携帯電話機のシステムデフォルト設定領域に設定されているデータを管理している。その管理しているデータに変更が必要になった場合、緊急通信アドレス管理サーバ１７６００に対し、直接或いは間接的に緊急通信アドレス設定変更情報１７６１０を与える。緊急通信アドレス管理サーバ１７６００は、緊急通信アドレス設定変更情報１７６１０が与えられると、その情報に基づいて、携帯電話網１７３００に対して、緊急通信アドレス設定変更指示情報１７６２０を送信する。この緊急通信アドレス設定変更指示情報１７６２０は、基地局１７２００、１７４００を介して携帯電話機１７１００、１７５００に送信される。携帯電話機１７１００、１７５００は、緊急通信アドレス設定変更指示情報１７６２０を受信すると、その情報に基づいて、システムデフォルト設定領域の対応する登録データを更新することで、新たな緊急通報などを発信する番号への対応が可能となる。
【００７８】
図１６は、付帯情報再生許可設定テーブルのユーザ設定エリアに未設定番号の着信があった場合の付帯情報に対する制御の可否設定を可能にした例である。本付帯情報再生許可設定テーブルは、図１５（ｃ）と同様な構成となっており、ユーザから設定が可能である。本テーブル例では、電話番号欄１６００２が無効値であることを意味するＮＵＬＬが固定的に設定されている登録番号９９９の未設定電話番号着信用データ１６０９０が用意されている。もし、呼出着信があったとき、付帯情報再生許可設定テーブルに登録されていない電話番号の着信であった場合に、このテーブル１６０９０に設定されているデータに従い、付帯情報に対する制御の可否判定を行う。これによって、登録されていない着信があった場合の付帯情報に対する制御をユーザが設定することが可能となる。
【００７９】
【発明の効果】
以上述べたように、本発明によれば、発信者が発信する際、受信者に着信を知らせる動作を指定できる。
【図面の簡単な説明】
【図１】本発明の第１の実施例である携帯電話システムの概略図。
【図２】本発明の一実施例である振動パターン制御の概略イメージ図。
【図３】本発明に関わる携帯電話機の概略構成図。
【図４】本発明に関わる携帯電話機の着信処理動作の一実施例のフローチャートの説明図。
【図５】本発明の第２の実施例である携帯電話システムの概略図。
【図６】本発明の第３の実施例である携帯電話システムの概略図。
【図７】本発明に関わる携帯電話機の着信処理動作の一実施例のフローチャートの説明図。
【図８】本発明に関わる呼出情報のデータフォーマットの一例の説明図。
【図９】本発明に関わる呼出情報種別への対応テーブルの一例の説明図。
【図１０】本発明に関わる着信報知方法指定の実行可否設定テーブルの一例の説明図。
【図１１】本発明に関わる呼出情報のデータフォーマットの他の一例の説明図。
【図１２】本発明に関わる携帯電話機の着信処理動作の他の実施例のフローチャートの説明図。
【図１３】本発明の一実施例であるＩＰ電話システムの概略図。
【図１４】本発明の一実施例である電子メールシステムの概略図。
【図１５】本発明に関わる着信報知方法指定の実行可否テーブルの別の例の説明図。
【図１６】未登録電話番号に対して着信報知方法指定の実行可否設定を可能にしたテーブルの例の説明図。
【図１７】システムデフォルト設定領域の書き換えに対応する携帯電話システムの概略図。
【符号の説明】
１１００、１５００、２１００、２５００、５１００、５５００、６１００、６５００  携帯電話機
１２００、１４００、２２００、２４００、５２００、５４００、６２００、６４００  携帯電話基地局
１３００、２３００、５３００、６３００  携帯電話網
５６００、６６００  呼出メロディデータ保持管理サーバ
１１１０、１４１０、２１００、２４１０、５１２０、５６３０、６１２０  呼出情報
５１１０、６１１０  着信メロディデータアップロード
６５１０  着信メロディデータダウンロード要求
５６１０  着信メロディデータ保持処理
５６２０  着信メロディ情報からデータへの変換処理
６６３０  着信メロディデータダウンロード
１１１１、１４１１、２１１１、２４１１、５１２１、５６３１、６１２１  発着信番号情報
１１１２、１４１２、５１２２、６１２２  着信メロディ情報
２１１２、２４１２  着信振動パターン情報
２１２１  着信振動パターン
２１２２  着信振動パターンコードデータ
３０１０  アンテナ
３０２０  経路切替スイッチ
３０３０  ＧＰＳ  Ａｍｐ
３０４０  ＣＤＭＡ受信Ａｍｐ
３０５０  ＣＤＭＡ送信Ａｍｐ
３０６０  通信処理プロセッサ
３０７０  ＬＣＤパネル
３０８０  メモリ
３０９０  スピーカ
３１００  マイク
３１１０  キー
３１２０  振動器
３１３０  ＬＥＤ
３１４０  カメラ
４０１０、７０１０、１２０１０、１２１１０  着信コマンド処理
４０２０、７０２０  着信メロディ付帯有無判定処理
４０３０、７０３０、１２１３０  付帯着信メロディ対応設定判定処理
４０４０、７０５０  付帯着信メロディデータ受信処理
４０５０、７０７０、１２０２０、１２１６０  内蔵着信メロディデータ読出し処理
４０６０、７０８０、１２０３０、１２１７０  着信メロディ再生処理
４０７０、７０９０、１２０４０、１２１８０  オフフック判定処理
４０８０、７１００、１２０５０、１２１９０  着信呼出終了判定
８１００、１１１１０、１１３１０  着信者番号情報
８２００、１１１２０、１１３２０  発信者番号情報
１１１２１、１１３２１  付帯情報フラグ
８３００、１１２１０、１１３３０  付帯情報コード
８４００、１１２２０、１１３４０  付帯情報
８３１０  付帯情報コード欄
８３２０  付帯情報種別欄
９０１０  付帯情報コード欄
９０２０  対応可能性の有無欄
１０１００  登録番号欄
１０２００  電話番号欄
１０３００  付帯情報対応可否設定欄
１３１００、１３４００  ＩＰ電話端末装置
１３２００  ＩＰ電話網
１３３００  ＩＰ電話サーバ
１３１１０、１３３１０  呼出情報
１３１１１、１３３１１  発着信番号情報
１３１１２，１３３１２  着信メロディ情報
１４０００  インターネット網
１４１００，１４４００，１４９００  メール端末
１４２００，１４８００  メールサーバ
１４３００、１４６００  ゲートウェイ
１４５００、１４７００  ＬＡＮ網
１４１１０、１４１２０  送信メールパケット
１４４１０、１４９１０  受信メールチェックパケット
１４２１０、１４８１０  受信メールパケット
１４１１１、１４１２１、１４２１１、１４８１１  アドレス情報
１４１１２、１４１２２、１４２１２、１４８１２  着信報知情報
１４１１３、１４１２３、１４２１３、１４８１３  メール本文
【図１】
2004363999.tif 000003
【図２】
2004363999.tif 000004
【図３】
2004363999.tif 000005
【図４】
2004363999.tif 000006
【図５】
2004363999.tif 000007
【図６】
2004363999.tif 000008
【図７】
2004363999.tif 000009
【図８】
2004363999.tif 000010
【図９】
2004363999.tif 000011
【図１０】
2004363999.tif 000012
【図１１】
2004363999.tif 000013
【図１２】
2004363999.tif 000014
【図１３】
2004363999.tif 000015
【図１４】
2004363999.tif 000016
【図１５】
2004363999.tif 000017
【図１６】
2004363999.tif 000018
【図１７】
2004363999.tif 000019